(57)【特許請求の範囲】
【請求項１】
洗浄対象物を収容する収容空間が内部に形成され、水が溜められる洗浄槽であって、上下方向に延びた中心軸線を有して上端部に洗浄対象物を出し入れするための開口が設けられた有底円筒状の外槽と、前記収容空間を有して前記外槽内に同軸状で収容される有底円筒状の内槽とを含む洗浄槽と、
前記洗浄槽に溜められた水から水流を発生させる水流発生部材と、
前記洗浄槽に設けられて前記収容空間に下側から対向した対向部であって、前記水流発生部材が発生させた水流を前記収容空間へ上向きに吐き出す吐出口が、前記収容空間を下側から臨むように形成された対向部と、
前記吐出口よりも上側において前記収容空間内に突出し、前記収容空間における洗浄対象物の浮き上がりを防止するための浮き上がり防止部材であって、前記中心軸線を中心とする径方向において前記開口の内周縁よりも外側へずれて配置される浮き上がり防止部材とを含む、洗浄機。
【請求項２】
前記浮き上がり防止部材は、上下方向における前記収容空間の途中に設けられ、
前記内槽の円周壁の内周面に取り付けられて上下方向に延びる揚水部材であって、前記内周面との間に上下方向に延びる揚水路を形成する揚水部材をさらに含み、
前記揚水部材の上端部は、前記径方向の内側へ突出した突出部を有し、
前記突出部には、前記揚水路を露出させる散水口が形成され、
前記突出部は、前記浮き上がり防止部材として機能する、請求項１に記載の洗浄機。
【請求項３】
前記浮き上がり防止部材の下面部は、平坦面を含み、
前記外槽の円周壁において前記内槽よりも上側の部分は、透明または半透明である、請求項１または２に記載の洗浄機。
【発明の詳細な説明】
【技術分野】
【０００１】
この発明は、洗浄機に関する。
【背景技術】
【０００２】
特許文献１に記載の洗濯機は、洗濯槽の底部に回転可能に設けられたパルセータと、洗濯槽の内周面に設けられたバッフルとを含む。バッフルは、パルセータの回転軸に対して所定角度で傾いた姿勢で、洗濯槽の内周側に膨出して設けられる。洗いやすすぎ運転において、洗濯槽内の洗濯物は、パルセータの回転によって生じた水流に乗る。水流に乗った洗濯物は、バッフルに接触すると、バッフルの傾斜に沿ってせり上げられる。これにより、洗濯槽内で底部側にあった洗濯物が持ち上げられる。
【先行技術文献】
【特許文献】
【０００３】
【特許文献１】特開２００６−６８１８９号公報
【発明の概要】
【発明が解決しようとする課題】
【０００４】
洗浄機では、特許文献１の洗濯物のような洗浄対象物についての洗浄力の向上が、常に望まれる。
【０００５】
この発明は、かかる背景のもとでなされたもので、洗浄力の向上を図れる洗浄機を提供することを目的とする。
【課題を解決するための手段】
【０００６】
本発明は、洗浄対象物を収容する収容空間が内部に形成され、水が溜められる洗浄槽と、前記洗浄槽に溜められた水から水流を発生させる水流発生部材と、前記洗浄槽に設けられて前記収容空間に下側から対向した対向部であって、前記水流発生部材が発生させた水流を前記収容空間へ上向きに吐き出す吐出口が、前記収容空間を下側から臨むように形成された対向部と、前記吐出口よりも上側において前記収容空間内に突出し、前記収容空間における洗浄対象物の浮き上がりを防止するための浮き上がり防止部材とを含む、洗浄機である。
【０００７】
また、本発明は、前記浮き上がり防止部材は、上下方向における前記収容空間の途中に設けられることを特徴とする。
【０００８】
また、本発明は、前記浮き上がり防止部材の下面部は、平坦面を含むことを特徴とする。
【発明の効果】
【０００９】
本発明によれば、洗浄槽に溜められた水から水流発生部材が発生させた水流は、洗浄槽の収容空間に下側から対向した対向部に形成された吐出口から収容空間へ上向きに吐き出されて、収容空間の洗浄対象物に下側から浴びせられる。これにより、洗浄対象物が洗浄される。
洗浄対象物は、下側から水流が浴びせられることによって、浮き上がろうとするが、吐出口よりも上側において収容空間内に突出した浮き上がり防止部材が、浮き上がろうとする洗浄対象物の先に位置するので、洗浄対象物が所定距離以上浮き上がることが防止される。これにより、吐出口から洗浄対象物までの距離が短く保たれるので、吐出口からの水流を勢いよく洗浄対象物に浴びせることによって、洗浄力の向上を図れる。
また、吐出口から上向きに吐き出された水流は、浮き上がり防止部材の下面部において対向部側へ跳ね返ってから、洗浄対象物に浴びせられることがある。これにより、洗浄対象物を、収容空間における対向部から浮き上がり防止部材までの領域において、効果的に撹拌できる。そのため、洗浄対象物の隅々に水流を浴びせることができるので、洗浄力の一層の向上を図れる。
【００１０】
また、本発明によれば、浮き上がり防止部材は、上下方向における収容空間の途中に設けられるので、収納空間内の洗浄対象物が所定距離以上浮き上がることが確実に防止される。
【００１１】
また、本発明によれば、吐出口から上向きに吐き出された水流を、浮き上がり防止部材の下面部に含まれる平坦面によって、対向部側へ確実に跳ね返らせることができる。
【図面の簡単な説明】
【００１２】
【図１】図１は、この発明の一実施形態に係る洗浄機の内部構造の縦断面図である。
【図２】図２は、変形例に係る洗浄機の内部構造の縦断面図である。
【発明を実施するための形態】
【００１３】
以下には、図面を参照して、この発明の実施形態に係る洗浄機１について具体的に説明する。洗浄機１は、洗浄対象物Ｑを洗浄するための装置である。洗浄対象物Ｑの一例は、衣類などの洗濯物であり、この場合の洗浄機１は、洗濯機である。洗浄対象物Ｑの別の例は、果物や野菜などである。洗浄機１は、洗浄対象物Ｑを乾燥する機能を有してもよい。
【００１４】
図１は、洗浄機１の内部構造の縦断面図である。まず、図１における上下方向Ｚを基準として洗浄機１の概要について説明する。縦方向である上下方向Ｚのうち、上側を上側Ｚ１といい、下側を下側Ｚ２という。洗浄機１は、ボックス状に形成された筐体（図示せず）と、筐体内に配置された洗浄槽２とを含む。洗浄槽２は、ダンパ（図示せず）を介して筐体によって弾性支持された外槽３と、外槽３内で回転可能な内槽４とを含む。洗浄機１は、内槽４内に設けられた対向部５および揚水部材６と、内槽４を回転させるモータ７と、モータ７の駆動力を受けることによって内槽４内で回転可能な水流発生部材８と、浮き上がり防止部材９とをさらに含む。なお、この洗浄機１には、一般的な洗濯機で用いられるパルセータが装備されなくてもよい。
【００１５】
外槽３は、たとえば樹脂製であり、上下方向Ｚに延びた中心軸線を有する有底円筒状に形成される。外槽３は、上端部に略円形状の開口３Ａを有する略円筒状の円周壁３Ｂと、円周壁３Ｂの中空部分を下側Ｚ２から塞いだ略円板形状の底壁３Ｃと、円周壁３Ｂおよび底壁３Ｃによって囲まれて開口３Ａから上側Ｚ１へ露出された略円柱状の内部空間３Ｄとを有する。円周壁３Ｂにおいて開口３Ａが形成された上端部は、開口３Ａを取り囲んだリング状に形成される。開口３Ａは、円周壁３Ｂの上端部に連結されたカバー（図示せず）によって開閉される。内部空間３Ｄには、水道水、風呂水および洗剤が溶けた液体などの水が、底壁３Ｃ側から溜められる。
【００１６】
内槽４は、上下方向Ｚに延びた中心軸線を有し、外槽３よりも一回り小さい有底円筒状に形成される。つまり、内槽４は、縦に配置された状態にある。内槽４は、上端部に略円形状の開口４Ａを有する略円筒状の円周壁４Ｂと、円周壁４Ｂの下端に同軸状で接続された略円板形状の底壁４Ｃと、円周壁４Ｂおよび底壁４Ｃによって囲まれて開口４Ａから上側Ｚ１へ露出された略円柱状の内部空間４Ｄとを有する。たとえば、円周壁４Ｂは金属製であり、底壁４Ｃでは、円中心部分が金属製であって、外周部分が樹脂製である。底壁４Ｃの外周部分において上側Ｚ１へ突出した部分を、円周壁４Ｂの下端部とみなしてもよい。底壁４Ｃと、円周壁４Ｂにおいて底壁４Ｃに接続された下端部とは、内槽４の底部を構成する。内槽４は、外槽３内に同軸状で収容される。内槽４は、その円中心を通る中心軸線を中心に回転可能である。内槽４の中心軸線を、回転軸線Ｊという。
【００１７】
以下では、回転軸線Ｊまわりの周方向を周方向Ｓといい、回転軸線Ｊを中心とする径方向を径方向Ｒという。周方向Ｓおよび径方向Ｒは、いずれも水平方向Ｈに沿う方向である。径方向Ｒのうち、回転軸線Ｊに近付く側を径方向内側Ｒ１といい、回転軸線Ｊから離れる側を径方向外側Ｒ２という。
【００１８】
開口４Ａは、外槽３の開口３Ａに下側Ｚ２から連通し、開口３Ａおよび開口４Ａは、前述したカバー（図示せず）によって一括開閉される。洗浄機１の使用者は、開放された開口４Ａを介して、内槽４の内部空間４Ｄに洗浄対象物Ｑを出し入れすることができる。洗浄対象物Ｑは、内部空間４Ｄに収容される。円周壁４Ｂおよび底壁４Ｃのそれぞれには、貫通穴４Ｅが形成され、外槽３内の水は、貫通穴４Ｅを介して、外槽３と内槽４との間で行き来できる。これにより、内部空間４Ｄには、外槽３と同じ水位となるように水が底壁４Ｃ側から溜められる。底壁４Ｃに形成された複数の貫通穴４Ｅは、回転軸線Ｊ側つまり径方向内側Ｒ１に偏った位置において、周方向Ｓに間隔を隔てて配置される。
【００１９】
円周壁４Ｂにおいて内部空間４Ｄを径方向外側Ｒ２から区画した内周面４Ｆの上端部には、円環状のバランスリング１１が取り付けられる。バランスリング１１は、回転時における内槽４の振動を低減させるものであって、バランスリング１１の内部の空洞１１Ａには、振動低減に寄与するための液体、例えば塩水が収容される。底壁４Ｃの上面には、下側Ｚ２へ一段窪んだ凹状の配置領域１２が形成される。配置領域１２は、底壁４Ｃと同軸状をなす上下に扁平な円筒状の空間である。配置領域１２は、円周壁４Ｂの下端部によって径方向外側Ｒ２から取り囲まれた状態にある。
【００２０】
対向部５は、回転軸線Ｊと一致した中心軸線を有する円板状に形成されて水平方向Ｈに平坦な蓋であり、配置領域１２のほぼ全域を上側Ｚ１から覆った状態で内槽４の底部に取り付けられる。対向部５は、内槽４の底部の一部として、内槽４に一体的に設けられてもよい。対向部５によって、内槽４の内部空間４Ｄは、配置領域１２と、配置領域１２よりも上側Ｚ１の洗浄領域１３とに上下に仕切られた状態にある。対向部５は、洗浄領域１３に下側Ｚ２から対向した状態にある。配置領域１２は、内部空間４Ｄの下端部を占める僅かな領域であるのに対し、洗浄領域１３は、内部空間４Ｄのほとんどを占め、対向部５とバランスリング１１とによって上下方向Ｚから挟まれた領域である。内部空間４Ｄの洗浄対象物Ｑは、洗浄領域１３に配置される。洗浄領域１３は、洗浄槽２の内部に形成されて洗浄対象物Ｑが実際に収容される収容空間２Ａである。対向部５において回転軸線Ｊから離れた外周部には、複数の吐出口５Ａが周方向Ｓに間隔を隔てて形成される。各吐出口５Ａは、対向部５の外周部を上下方向Ｚに貫通して洗浄領域１３を下側Ｚ２から臨み、配置領域１２の外周部と洗浄領域１３とを連通させた状態にある。
【００２１】
揚水部材６は、径方向内側Ｒ１へ膨出しかつ上下方向Ｚに延びる樋状に形成され、内槽４の円周壁４Ｂの内周面４Ｆに対して径方向内側Ｒ１から取り付けられる。揚水部材６は、複数設けられてもよく、その場合、複数の揚水部材６は、周方向Ｓに並んで配置される。揚水部材６の上端部６Ａは、上下方向Ｚにおける洗浄領域１３の途中、詳しくは、洗浄領域１３の略中央に配置される。上端部６Ａは、径方向内側Ｒ１へ突出した中空の突出部６Ｂを有する。突出部６Ｂにおいて例えば径方向内側Ｒ１の側面には、突出部６Ｂの中空部分に連通して径方向内側Ｒ１から回転軸線Ｊを臨んだ散水口６Ｃが形成される。揚水部材６と内周面４Ｆとの間には、上下方向Ｚに延びる揚水路１４が形成される。突出部６Ｂの中空部分は、揚水路１４の一部である。揚水路１４は、散水口６Ｃから径方向内側Ｒ１に露出される。揚水路１４の下端を吸込口１４Ａという。吸込口１４Ａは、配置領域１２の外周部において対向部５に覆われない部分に対して、上側Ｚ１から接続される。
【００２２】
内槽４の底部において配置領域１２を径方向外側Ｒ２から区画する部分、詳しくは円周壁４Ｂの下端部には、ガイド部４Ｇが形成される。ガイド部４Ｇは、上側Ｚ１へ向かうにつれて径方向外側Ｒ２へ膨らんだ湾曲面であって、径方向外側Ｒ２から配置領域１２の外周部に臨む。ガイド部４Ｇは、底部において、周方向Ｓで対向部５の各吐出口５Ａおよび揚水路１４の吸込口１４Ａと同じ位置に少なくとも設けられればよいが、周方向Ｓにおける底部の全域に設けられてもよい。周方向Ｓで吐出口５Ａと同じ位置にあるガイド部４Ｇの上端は、当該吐出口５Ａに対して下側Ｚ２から接続される。周方向Ｓで吸込口１４Ａと同じ位置にあるガイド部４Ｇの上端は、当該吸込口１４Ａに対して下側Ｚ２から接続される。
【００２３】
モータ７は、筐体内において外槽３の底壁３Ｃの下側Ｚ２に配置される。モータ７の出力軸は、上側Ｚ１へ延びる管状の第１伝達軸１５と、第１伝達軸１５に対して遊びを持って挿通された第２伝達軸１６とに分岐する。モータ７は、公知の変速機構１７を介することによって、駆動力を第１伝達軸１５および第２伝達軸１６のどちらかから選択的に出力することができる。
【００２４】
第１伝達軸１５は、上側Ｚ１へ延びて、底壁３Ｃの円中心を貫通し、内槽４の底壁４Ｃの円中心に接続される。第１伝達軸１５の上端部は、鍔状に張り出したフランジ部１５Ａを有し、フランジ部１５Ａが底壁４Ｃに対して下側Ｚ２から固定されることによって、内槽４に連結される。モータ７が駆動されて第１伝達軸１５に駆動力が伝達されると、内槽４が回転軸線Ｊまわりに回転する。
【００２５】
水流発生部材８は、対向部５よりも下側Ｚ２の配置領域１２において、内槽４の底部および対向部５の両方に対して非接触な状態で、内槽４の底壁４Ｃの上側Ｚ１に配置される。内槽４の内部空間４Ｄは、水流発生部材８が配置された配置領域１２と、対向部５よりも上側Ｚ１で洗浄対象物Ｑが配置される洗浄領域１３とに仕切られた状態にあるので、回転中の水流発生部材８に洗浄領域１３の洗浄対象物Ｑが接触して傷付くことを防止できる。これにより、水流発生部材８の回転数を高くすることができる。水流発生部材８は、天板部２０と、複数の羽根部２１とを有する。
【００２６】
天板部２０は、回転軸線Ｊと一致した中心軸線を有する円板状であって、内槽４の底壁４Ｃの板厚方向と一致または略一致した板厚方向を有する。天板部２０の外径は、対向部５の外径とほぼ同じである。天板部２０は、対向部５に対して下側Ｚ２から隣接し、かつ平行な状態で配置される。天板部２０の下面部２０Ａにおいて回転軸線Ｊと一致した円中心には、第２伝達軸１６においてフランジ部１５Ａよりも上側Ｚ１にはみ出た上端部１６Ａが下側Ｚ２から連結される。
【００２７】
複数の羽根部２１は、周方向Ｓに薄く回転軸線Ｊから離れるように径方向外側Ｒ２へ放射状に延びるフィンであって、天板部２０の下面部２０Ａにおいて周方向Ｓに並んで設けられる。下面部２０Ａには、各羽根部２１によって径方向外側Ｒ２から取り囲まれた円柱状のスペースが設けられる。このスペースを取込空間２５という。下面部２０Ａには、周方向Ｓに隣り合う羽根部２１同士、つまり、隣り合う第１羽根部２３および第２羽根部２４によって挟まれた水路２６が設けられる。水路２６は、複数存在し、周方向Ｓに並んで配置される。各水路２６は、取込空間２５に径方向外側Ｒ２から連通し、取込空間２５から径方向外側Ｒ２へ放射状に延びるように形成される。各水路２６における径方向外側Ｒ２の端部は、径方向外側Ｒ２に露出された出口２６Ａである。
【００２８】
各水路２６は、天板部２０によって上側Ｚ１から塞がれた状態にある。一方、各羽根部２１は、内槽４の底壁４Ｃに対して非接触で上側Ｚ１から対向した状態にある。なお、水流発生部材８は、各羽根部２１の下端に接続されて各水路２６を下側Ｚ２から塞ぐ閉塞部（図示せず）を有してもよい。取込空間２５は、底壁４Ｃにおける回転軸線Ｊ側の貫通穴４Ｅに対して上側Ｚ１から対向した状態にある。内槽４の底部に形成されたガイド部４Ｇは、水流発生部材８に対して径方向外側Ｒ２から隣接し、常に、少なくともいずれかの水路２６の出口２６Ａに対して径方向外側Ｒ２から対向した状態にある。
【００２９】
浮き上がり防止部材９は、洗浄槽２の収容空間２Ａの上下方向Ｚにおける途中、つまり上下方向Ｚにおける洗浄領域１３の途中、詳しくは、洗浄領域１３の略中央に設けられる。浮き上がり防止部材９は、対向部５の吐出口５Ａよりも上側Ｚ１において内槽４の内周面４Ｆから洗浄領域１３内へ径方向内側Ｒ１に突出したフランジ状に形成される。浮き上がり防止部材９は、対向部５の吐出口５Ａと周方向Ｓで同じ位置に少なくとも設けられる。吐出口５Ａと周方向Ｓで同じ位置にある浮き上がり防止部材９の下面部９Ａは、吐出口５Ａに上側Ｚ１から対向した状態にある。当該下面部９Ａにおいて少なくとも吐出口５Ａの真上に位置する領域には、水平方向Ｈに沿って平坦な平坦面９Ｂが設けられる。
【００３０】
揚水部材６において上下方向Ｚで浮き上がり防止部材９とほぼ同じ位置に設けられた上端部６Ａの突出部６Ｂも、浮き上がり防止部材９とみなしてもよい。この場合、突出部６Ｂの下面部は、前述した平坦面９Ｂを含んだ下面部９Ａとして機能する。
【００３１】
外槽３の内部空間３Ｄおよび内槽４の内部空間４Ｄに水が溜まった状態では、配置領域１２内の水流発生部材８は、水に浸かった状態にある。この状態でモータ７が駆動されると、モータ７の駆動力が第２伝達軸１６から水流発生部材８に伝達されることによって、水流発生部材８が、回転軸線Ｊまわりに回転する。水流発生部材８が回転するとき、内槽４は、停止した状態にある。取込空間２５に存在する水は、太い実線の矢印で示すように、水流発生部材８の回転による遠心力によって各水路２６に流れ込んで回転軸線Ｊから離れるように各水路２６を流れる。配置領域１２において水流発生部材８よりも下側Ｚ２に存在する水は、各水路２６における流れに引っ張られて回転軸線Ｊから離れるように流れる。このように配置領域１２の水が流れると、径方向Ｒにおける外槽３の円周壁３Ｂと内槽４の円周壁４Ｂとの隙間２７に存在する水が、回転する水流発生部材８に引き寄せられて、破線の矢印で示すように、隙間２７を通って下降し、外槽３の底壁３Ｃと内槽４の底壁４Ｃとの隙間２８に到達した後に、底壁４Ｃの貫通穴４Ｅから配置領域１２に取り込まれる。
【００３２】
取込空間２５から各水路２６に流れ込んだ水や、配置領域１２において水流発生部材８よりも下側Ｚ２において回転軸線Ｊから離れるように流れた水、つまり、洗浄槽２に溜められた水は、水流発生部材８の回転による遠心力によって水流となって、水流発生部材８よりも径方向外側Ｒ２へ流れる。この水流は、その先にあるガイド部４Ｇによって、対向部５の吐出口５Ａまたは揚水路１４の吸込口１４Ａへ向けて上側Ｚ１へ導かれる。吐出口５Ａへ導かれた水流は、１点鎖線の矢印で示すように、吐出口５Ａから洗浄領域１３へ上向きに勢いよく吐き出される。揚水路１４の吸込口１４Ａへ導かれた水流は、２点鎖線の矢印で示すように、吸込口１４Ａから揚水路１４内を上昇し、揚水部材６の散水口６Ｃから勢いよく吐き出されて洗浄領域１３内に降り注ぐ。このように水流発生部材８の回転に応じて吐出口５Ａおよび散水口６Ｃから洗浄領域１３に吐き出された水流が内部空間４Ｄの洗浄対象物Ｑに浴びせられたり、洗浄対象物Ｑを撹拌したりすることによって、洗浄対象物Ｑが洗浄される。また、洗剤が水流に含まれてもよく、この場合、洗浄対象物Ｑの汚れが洗剤によって分解される。
【００３３】
洗浄対象物Ｑは、吐出口５Ａからの水流が下側Ｚ２から浴びせられることによって、浮き上がろうとするが、吐出口５Ａよりも上側Ｚ１の浮き上がり防止部材９が、浮き上がろうとする洗浄対象物Ｑの先に位置するので、洗浄領域１３つまり洗浄槽２の収容空間２Ａにおいて洗浄対象物Ｑが所定距離以上浮き上がることが防止される。特に、浮き上がり防止部材９は、上下方向Ｚにおける収容空間２Ａの途中に設けられるので、収容空間２Ａ内の洗浄対象物Ｑが所定距離以上浮き上がることが確実に防止される。よって、洗浄対象物Ｑが浮き上がり防止部材９よりも下側Ｚ２に留められることによって、吐出口５Ａから洗浄対象物Ｑまでの上下の距離が短く保たれるので、吐出口５Ａからの水流を勢いよく洗浄対象物Ｑに浴びせることによって、洗浄力の向上を図れる。
【００３４】
また、吐出口５Ａから上向きに吐き出された水流は、浮き上がり防止部材９の下面部９Ａにおいて対向部５側へ跳ね返ってから、洗浄対象物Ｑに浴びせられることがある。これにより、洗浄対象物Ｑを、収容空間２Ａにおける対向部５から浮き上がり防止部材９までの領域において、効果的に撹拌できる。そのため、洗浄対象物Ｑの隅々に水流を浴びせることができるので、洗浄力の一層の向上を図れる。特に、吐出口５Ａから上向きに吐き出された水流を、下面部９Ａに含まれる水平な平坦面９Ｂによって、対向部５側へ確実に跳ね返らせることができる。
【００３５】
洗浄領域１３の水は、内槽４の円周壁４Ｂの貫通穴４Ｅから外槽３の円周壁３Ｂと内槽４の円周壁４Ｂとの隙間２７に流出した後に、回転する水流発生部材８によって配置領域１２に取り込まれて水流となり、再び洗浄領域１３に吐き出される。つまり、水流発生部材８の回転中において、内槽４の内部空間４Ｄにおける水は、水流となって配置領域１２と洗浄領域１３との間で循環する。なお、洗浄対象物Ｑの洗浄後には、水流発生部材８が停止した状態で内槽４が回転し、その遠心力によって洗浄対象物Ｑを脱水してもよい。
【００３６】
この発明は、以上に説明した実施形態に限定されるものではなく、請求項に記載の範囲内において種々の変更が可能である。
【００３７】
例えば、浮き上がり防止部材９は、内槽４とともに回転することによって洗浄対象物Ｑを撹拌するバッフルの機能を兼ねてもよい。また、バランスリング１１と同様にリング状に形成されたリング部材がバランスリング１１よりも下側Ｚ２に配置され、このリング部材の一部が浮き上がり防止部材９を構成してもよい。
【００３８】
浮き上がり防止部材９は、外槽３の開口３Ａの内周縁３Ｅよりも径方向内側Ｒ１へはみ出さないことが好ましい。つまり、浮き上がり防止部材９における径方向内側Ｒ１の周縁部は、開口３Ａの内周縁３Ｅよりも径方向外側Ｒ２へずれて配置されることが好ましい。これにより、開口３Ａでの洗浄対象物Ｑの出し入れの際に浮き上がり防止部材９が邪魔になることを防止できる。
【００３９】
図２は、変形例に係る洗浄機１の内部構造の縦断面図である。図２において、以上で説明した部分と同一の部分には同一番号を付して、当該部分についての説明は省略する。
【００４０】
変形例に係る洗浄機１では、例えば上下方向Ｚにおける内槽４の寸法が小さいことにより、図２に示すように外槽３の開口３Ａと内槽４の開口４Ａとの間の上下の間隔が大きい。この場合、内槽４の内部空間４Ｄにおいて対向部５よりも上側Ｚ１の洗浄領域１３と、外槽３の内部空間３Ｄにおいて開口４Ａを介して洗浄領域１３に上側Ｚ１から連通した上側空間３Ｆとが、前述した洗浄槽２の収容空間２Ａを構成する。外槽３の円周壁３Ｂにおいて開口４Ａよりも上側Ｚ１の部分は、収容空間２Ａ内の洗浄対象物Ｑを機外から目視できるように、透明または半透明であってもよい。
【００４１】
変形例に係る洗浄機１では、内槽４の円周壁４Ｂの上端部に取り付けられたバランスリング１１は、上下方向Ｚにおける収容空間２Ａの途中、詳しくは上下方向Ｚにおける収容空間２Ａの略中央に位置して収容空間２Ａ内に径方向外側Ｒ２から突出することによって、前述した浮き上がり防止部材９の機能も兼ねる。換言すれば、浮き上がり防止部材９が、バランスリング１１によって構成される。この場合、バランスリング１１の下面部は、前述した平坦面９Ｂを含んだ下面部９Ａとして機能する。洗浄対象物Ｑは、吐出口５Ａからの水流が下側Ｚ２から浴びせられることによって、浮き上がろうとするが、バランスリング１１が、浮き上がろうとする洗浄対象物Ｑの先に位置するので、洗浄対象物Ｑが所定距離以上浮き上がることが防止される。
【００４２】
回転軸線Ｊは、上下方向Ｚに対して傾斜して配置されてもよく、この場合、対向部５および水流発生部材８は、水平方向Ｈに対して傾斜して配置されることによって、回転軸線Ｊと直交した姿勢を維持する。
【符号の説明】
【００４３】
１      洗浄機
２      洗浄槽
２Ａ    収容空間
５      対向部
５Ａ    吐出口
８      水流発生部材
９      浮き上がり防止部材
９Ａ    下面部
９Ｂ    平坦面
Ｑ      洗浄対象物
Ｚ      上下方向
Ｚ１    上側
Ｚ２    下側
【図１】
0006799220.tif 000002
【図２】
0006799220.tif 000003